(57)【要約】【課題】扉の開閉方向が左右どちら向きでも選択可能な部品構成であっても収納庫の組立を容易に行える収納庫用扉の提供、また、従来より部品点数が少なくて製品の設計、製造が簡便となる収納庫用扉の提供。【解決手段】収納庫用扉において、扉本体に設けられる取っ手部は、扉本体の表側に一体成型された手挿入用の凹部と、この凹部の一部を表面側から覆って手掛かり部を形成する互いに対面する表板部と裏板部とを備えた断面略Ｕ字形状の一体構造を有する把手部材と、この把手部材を扉本体に取付固定するための取付部材と、を備え、前記取付部材は、磁性体を含んで構成され、前記裏板部に備えられた取付係合部と扉本体の裏面側の凹部の近傍に設けられた取付固定部とに相互に係合することによって前記扉本体に前記把手部材を取付固定するものであり、前記磁性体の磁力により扉本体を収納庫に取り付けた際に、扉の閉状態を維持するように構成した。【選択図】　　　図１
2004060400.tif 000002
【特許請求の範囲】
【請求項１】
収納庫の開口縁に扉本体の一端側が上下で回動可能に軸支されると共に、扉本体の他端側に取っ手部が設けられる樹脂製の収納庫用扉において、
前記取っ手部は、前記扉本体の表側に一体成型された手挿入用の凹部と、この凹部の一部を表面側から覆って手掛かり部を形成する把手部材と、この把手部材を前記扉本体に取付固定するための取付部材と、を備え、
前記把手部材は、少なくとも前記扉本体の側面端部を表裏から挟み込むように互いに対面する表板部と裏板部とを備えた断面略Ｕ字形状の一体構造を有し、前記扉本体への取付状態で、前記表板部の先端部が前記手掛かり部を構成し、前記裏板部に扉本体への取付の際に係合する取付係合部を備え、
前記扉本体は、前記把手部材を固定するための取付固定部が、前記扉本体の裏面側で前記凹部の近傍外側に設けられ、
前記取付部材は、磁性体を含んで構成され、前記把手部材の取付係合部と前記扉本体の前記取付固定部とに相互に係合することによって、前記扉本体に前記把手部材を取付固定するものであり、
前記取付部材に含まれた磁性体の磁力により、前記扉本体を収納庫に取り付けた際に、扉の閉状態を維持するように構成されていることを特徴とする収納庫用扉。
【請求項２】
前記扉本体は、前記凹部の外側縁部で前記扉本体の高さ方向に沿った上下に亘り、前記扉本体の端部に平行な扉補強部を備え、
前記把手部材は、前記断面略Ｕ字形状の根元部の内側部分に、前記表板部と前記裏板部とを繋いで補強する把手補強リブを備えており、
前記扉補強部は、前記把手部材の取付状態において前記把手補強リブを受け入れる切欠き部と、扉本体端部よりも少なくとも前記把手補強リブの長さ分だけ内側の位置で前記扉本体の高さ方向に沿って上下に亘る扉補強リブとを備え、
前記扉補強リブの外側に張り出した張り出し部に、前記取付固定部が設けられていることを特徴とする請求項１に記載の収納庫用扉。
【請求項３】
前記把手部材の把手補強リブは、取付状態で前記扉本体の高さ方向に予め定められた距離を開けて二つ設けられており、
前記扉補強部の前記切欠き部は、前記二つの把持補強リブに合わせて二カ所に設けられており、
前記張り出し部は、前記二つの切欠き部同士の間の領域に、前記扉補強リブの裏面側から外側に向かって張り出して設けられ、
前記裏板部には、貫通孔からなる取付係合部が設けられ、
前記張り出し部には、裏面側から表面側に向かう凹部からなる取付固定部が設けられ、
前記取付部材を前記貫通孔を貫通した状態で前記凹部に取付固定することを特徴とする請求項２に記載の収納庫用扉。
【請求項４】
収納庫の開口縁に扉本体の一端側が上下で回動可能に軸支されると共に、扉本体の他端側に取っ手部が設けられる樹脂製の収納庫用扉において、
前記取っ手部は、前記扉本体の表側に一体成型された手挿入用の凹部と、この凹部の一部を表面側から覆って手掛かり部を形成する把手部材と、この把手部材を前記扉本体に取付固定するための取付固定手段と、を備え、
前記把手部材は、少なくとも前記扉本体の側面端部を表裏から挟み込むように互いに対面する表板部と裏板部とを備えた断面略Ｕ字形状の一体構造を有し、前記扉本体への取付状態で、前記表板部の先端部が前記手掛かり部を構成し、前記裏板部に扉本体への取付の際に係合する取付係合部を備え、
前記扉本体は、前記把手部材を固定するための取付固定部が、前記扉本体の裏面側で前記凹部の近傍外側に設けられ、
前記取付固定手段は、前記把手部材を前記扉部材に組み入れる際に、前記把手部材の裏板部の弾性変形を利用して変形した後に、前記把手部材の取付係合部と前記扉本体の取付固定部とが、互いに嵌合して取付固定されるものであることをを特徴とする収納庫用扉。
【発明の詳細な説明】
【０００１】
【発明の属する技術分野】
本発明は、例えば樹脂製の簡易収納庫用の扉に関するものであり、詳しくは、特に扉の取っ手部分に特徴を有するものに関する。
【０００２】
【従来の技術】
近年、狭い住居空間において収納空間を確保するために、家具と家具の間や家具と壁あるいは天井との間の空間を効率的に利用する家具、所謂隙間収納家具が多く市販されている。
【０００３】
このような収納家具としては、主に合成樹脂製などの軽量で組立式の簡易タイプのものが安価で設置が容易なことから一般家庭への普及が増加しており、またそれに応じて、機能的であると共にデザイン性に優れたものが各種製造されている。
【０００４】
簡易収納庫においては、例えば、多段の引出式のものや扉のあるロッカー式のものなど形式だけでも異なるものが複数あり、消費者は設置場所や収納対象物に応じてより適したものを選択しなければならない。
【０００５】
【発明が解決しようとする課題】
しかしながら、隙間空間にちょうど合致する寸法の収納庫を見つけても、実際の設置場所では開閉に支障を生じることもある。特に、扉付の収納庫では開閉方向によっては壁にぶつかるなど扉を開けるのが困難となることがある。
【０００６】
そこで、収納庫の組立時に、扉の開閉方向を左右どちらでも選べるものも考えられている。通常、このような簡易タイプの収納庫扉は、左右両側縁の一方の上下が収納庫本体に軸支され、この軸支部を中心として他方側が回動することによって扉が開閉するものであり、他方側に取っ手部が設けられるが、扉を左右どちら向きの開閉方向でも取り付け可能とするために、扉自体は軸支部側と取っ手部側とを逆向きにできるように予め上下で対称形状に成型されているのが一般的である。
【０００７】
また、扉の裏面と収納庫本体の開口縁内との互いに対応する位置に、扉の収納庫本体に対する閉状態が維持できるような扉止め機構を構成する部材が設けられている。例えば開口縁部にマグネットを埋め込み、扉本体には金属板を取付け、マグネットの磁性による吸着力を利用したものが多く採用されている。
【０００８】
しかしこのような収納庫においては、収納庫の主要構成部品に加えて上記のような扉止め機構用の部材やこれを取り付けるためのネジ等の小さい付属部品を添付するなど、必要な部品点数が多くなるだけでなく、これら部品の取り付けを左右どちら側にも取り付けられるように設計しておかなければならないなど、製品の設計や製造、また組み立て作業も煩雑にならざるを得なかった。
【０００９】
特にマグネットのような磁性体は比較的大きく、且つ高価な部材であるので、扉本体に設けるにはスペースがないので、収納庫の開口部分に設けることが一般的である。この場合、扉の左右勝手を変更するには、マグネット部材をいちいち付け替えなければならないので面倒であった。
【００１０】
本発明は、上記問題点に鑑み、扉の開閉方向が左右どちら向きでも選択可能な部品構成であっても収納庫の組立を容易に行える収納庫用扉の提供を主目的とする。また、本発明の別の目的は、従来より部品点数が少なくて製品の設計、製造が簡便となる収納庫用扉を提供することにある。また、本発明の別の目的は、磁性体などの大きく且つ高価な部材を扉本体に設けるための空間を有効に形成できる扉部材を提供することにある。
【００１１】
【課題を解決するための手段】
上記目的を達成するため、請求項１に記載の発明に係る収納庫用扉は、収納庫の開口縁に扉本体の一端側が上下で回動可能に軸支されると共に、扉本体の他端側に取っ手部が設けられる樹脂製の収納庫用扉において、
前記取っ手部は、前記扉本体の表側に一体成型された手挿入用の凹部と、この凹部の一部を表面側から覆って手掛かり部を形成する把手部材と、この把手部材を前記扉本体に取付固定するための取付部材と、を備え、
前記把手部材は、少なくとも前記扉本体の側面端部を表裏から挟み込むように互いに対面する表板部と裏板部とを備えた断面略Ｕ字形状の一体構造を有し、前記扉本体への取付状態で、前記表板部の先端部が前記手掛かり部を構成し、前記裏板部に扉本体への取付の際に係合する取付係合部を備え、
前記扉本体は、前記把手部材を固定するための取付固定部が、前記扉本体の裏面側で前記凹部の近傍外側に設けられ、
前記取付部材は、磁性体を含んで構成され、前記把手部材の取付係合部と前記扉本体の前記取付固定部とに相互に係合することによって、前記扉本体に前記把手部材を取付固定するものであり、
前記取付部材に含まれた磁性体の磁力により、前記扉本体を収納庫に取り付けた際に、扉の閉状態を維持するように構成されていることを特徴とするものである。
【００１２】
また、請求項２に記載の発明に係る収納庫用扉は、請求項１に記載の収納庫用扉において、前記扉本体は、前記凹部の外側縁部で前記扉本体の高さ方向に沿った上下に亘り、前記扉本体の端部に平行な扉補強部を備え、前記把手部材は、前記断面略Ｕ字形状の根元部の内側部分に、前記表板部と前記裏板部とを繋いで補強する把手補強リブを備えており、前記扉補強部は、前記把手部材の取付状態において前記把手補強リブを受け入れる切欠き部と、扉本体端部よりも少なくとも前記把手補強リブの長さ分だけ内側の位置で前記扉本体の高さ方向に沿って上下に亘る扉補強リブとを備え、前記扉補強リブの外側に張り出した張り出し部に、前記取付固定部が設けられていることを特徴とするものである。
【００１３】
さらに、請求項３に記載の発明に係る収納庫用扉は、請求項２に記載の収納庫用扉において、前記把手部材の把手補強リブは、取付状態で前記扉本体の高さ方向に予め定められた距離を開けて二つ設けられており、前記扉補強部の前記切欠き部は、前記二つの把持補強リブに合わせて二カ所に設けられており、前記張り出し部は、前記二つの切欠き部同士の間の領域に、前記扉補強リブの裏面側から外側に向かって張り出して設けられ、前記裏板部には、貫通孔からなる取付係合部が設けられ、前記張り出し部には、裏面側から表面側に向かう凹部からなる取付固定部が設けられ、前記取付部材を前記貫通孔を貫通した状態で前記凹部に取付固定することを特徴とするものである。
【００１４】
また、請求項４に記載の発明に係る収納庫用扉は、収納庫の開口縁に扉本体の一端側が上下で回動可能に軸支されると共に、扉本体の他端側に取っ手部が設けられる樹脂製の収納庫用扉において、
前記取っ手部は、前記扉本体の表側に一体成型された手挿入用の凹部と、この凹部の一部を表面側から覆って手掛かり部を形成する把手部材と、この把手部材を前記扉本体に取付固定するための取付固定手段と、を備え、
前記把手部材は、少なくとも前記扉本体の側面端部を表裏から挟み込むように互いに対面する表板部と裏板部とを備えた断面略Ｕ字形状の一体構造を有し、前記扉本体への取付状態で、前記表板部の先端部が前記手掛かり部を構成し、前記裏板部に扉本体への取付の際に係合する取付係合部を備え、
前記扉本体は、前記把手部材を固定するための取付固定部が、前記扉本体の裏面側で前記凹部の近傍外側に設けられ、
前記取付固定手段は、前記把手部材を前記扉部材に組み入れる際に、前記把手部材の裏板部の弾性変形を利用して変形した後に、前記把手部材の取付係合部と前記扉本体の取付固定部とが、互いに嵌合して取付固定されるものである。
【００１５】
請求項１に記載の本発明においては、取り付けの際に開閉方向を左右どちら向きの設定にも選択できる形状の収納庫用扉において、扉本体表側に一体成型された手挿入用凹部の一部を表面側から覆って手掛かり部を形成するための把手部材を扉本体に固定するための取付部材が、磁性体で構成されるものである。なお、この取っ手部は、略中央部に設けることが好ましい。左右勝手を変更しても、取っ手部の高さ位置が変わらないためである。
【００１６】
従って、この取付部材をその磁力により扉本体を収納庫に取り付けた際に扉の閉状態を維持する扉止め機構として利用することができる。即ち、本発明においては、把手部材を扉本体に固定するための部材と扉止め機構の磁性部材とを兼用させるものであるため、把手部材の扉本体への固定と同時に扉止め機構を構成する磁性部材の取付も完了でき、組み立て工程が簡略されて作業がより簡便となる。なお、開口部には、磁力に惹き付けられる素材の止め部材があればいいので、一般には、金属製のねじを埋め込んで、そのねじ頭部分を開口部に露出するように配置するだけでよい。
【００１７】
また、従来は扉止め機構を構成する部材とは別個に必要であった把手部材は、扉本体に固定するためのネジ等の固定用部材が専用に必要であったが、本発明によれば、このような専用取付部材は必ずしも必要なくなり、部材点数を少なくすることができるため、製品の設計、製造も簡便となる。
【００１８】
また、本発明の把手部材は、扉本体への取付状態において少なくとも扉本体の側面端部を表裏から挟み込むように互いに対面する表板部と裏板部とを備えた断面略Ｕ字形状の一体構造を有し、表板部の先端側（特に端部）が手挿入用凹部の一部を覆うように配置構成されていると共に、裏板部に扉本体への取付の際に係合する取付係合部を備えるものとした。従って、使用者は、扉本体の凹部に手を挿入して、表板部の先端部（凹部を一部覆う部分、手掛かり部）の裏面に指をひっかっけて扉を引くことで、扉を開くことができる。そして、裏板部側が取付部になって一体化されているので、この部材も部品点数が少なくなる利点がある。
【００１９】
また本発明では、扉本体の裏面側の手挿入用凹部の近傍に取付固定部を設け、その取付固定部と裏板部の取付係合部とが相互に係合するように前記取付部材を扉本体の裏面側から取り付けるという簡便な操作によって扉本体に把手部材を取付固定することができる。即ち、把手部材が一体化されているので、表側の一部が凹部を覆って手がかり部を形成し、その裏面側にある裏板部で、凹部（裏側）の近傍位置に係合する構造である。このため、把手部材自体もコンパクトに形成できる。
【００２０】
なお、このような把手部材の構成においては、収納庫の使用に伴って扉開閉が繰り返され、手掛かり部を持って表板部を裏板部に対して離反方向へ引っ張る負荷が蓄積して部材が疲労し、場合によっては把手部材の表裏両板部が割れて把手部材が破損することもある。
【００２１】
そこで、請求項２に記載したように、把手部材の断面略Ｕ字形状の根元部の内側部分に、表板部と裏板部とを繋いで補強する把手補強リブを備えることによって、表板部と裏板部の割れが防がれ、把手部材はより長い期間の使用に耐えられる。なお、この把手補強リブの配置は一つに限らず、複数設ける方が表板部と裏板部との繋がりがより強化される。このように把手補強リブを複数設ける場合には、取付状態で扉本体の高さ方向に相当する把手部材の幅方向に、所定の間隔を開けて複数設けて均一に部材を補強するのが良い。
【００２２】
一方、扉本体についても、通常は薄い軽量な合成樹脂成型品であり、扉が大きくなるほど撓みやすく、特にほぼ中央高さ位置に設けられる取っ手部では、そこに凹部を形成して他の部分と形状を異なるものとすると、樹脂成型品の製造誤差や冷え速度の問題から、反りが大きく生じて扉本体がゆがんだりねじれたりするので、扉の取付や、開閉が良好に行えなくなることから、凹部を設けた取っ手部には反りを防止する補強部を設けておくことが望ましい。
【００２３】
この扉補強部は、扉本体の全体の端部に対して、凹部を設けた部分を中心に変形する可能性が高くなるので、手挿入用凹部の外側縁部の扉本体高さ方向に沿った上下に亘り、扉本体の端部に平行に設けるのが扉高さ方向の反り防止に最も効果的である。この扉補強部としては、まず、扉高さ方向に沿った上下に亘って設けた扉補強リブを備えているものとするのが簡便である。
【００２４】
ただし、この扉補強部においては、そこに取り付けられる把手部材の補強リブとの関係から、把手部材の扉本体への取付に支障を生じないように、前記把手補強リブの長さ分だけ内側にこの扉補強リブを位置づけると共に、該リブの外側領域では把手部材の取付状態において把手補強リブを受け入れる切欠き部を備えている。これにより、少なくとも把手部材を取り付けた状態で、扉本体から把手部材のみが大幅に外側に突出したりせず、例えば、外形を面一にあわせた把手部材を用いることができるので、扉部材の外形がスッキリ構築できる利点もある。
【００２５】
また、このような扉補強リブの配置においては、該扉補強リブの外側には扉端部に向けて張り出した構造物を形成することが可能である。この張り出し部は、手挿入凹部の外側であると共に扉本体取付状態にある把手部材の手掛かり部とも干渉しない領域にあることから、ここに取付固定部を設けて利用すれば、取付固定部材等が凹部への手挿入や手掛かり動作に干渉して扉開閉操作に悪影響を及ぼすことがない。
【００２６】
なお、この取付固定部が設けられる張り出し部は、前記把手部材の把手補強リブを扉本体の高さ方向に相当する幅方向に予め定められた距離を開けて二つ設けた場合、この二つの把手補強リブに合わせて二カ所に設けられる切欠き部同士の間の比較的大きな領域に、扉補強リブの裏面側から外側に向かって張り出して形成されることとなる。即ち、把手部材の扉本体への取付状態において、この張り出し部は、表板部と裏板部および把手補強リブによって囲まれた空間内に位置するものとなる。
【００２７】
従って、例えば、把手部材を不透明材で構成すれば、この張り出し部に設けられる取付固定部は、ほぼ完全に覆われて表面側からは見えなくなるので、扉の取っ手部としては見栄えが良くなるというデザイン上の利点もある。
【００２８】
このような張り出し部を利用した取付固定部の構成としては、前記裏板部の張り出し部に裏面側から当接する部分に貫通孔からなる取付係合部を設け、張り出し部の前記貫通孔に対応する位置に裏面側から表面側に向かう凹部からなる取付固定部を設けるものが、成型も簡単で取付作業も楽になるので好ましい。このような取付固定部においては、前記取付部材を前記貫通孔を貫通した状態（貫通孔に係合している状態）で前記凹部に先端部を入れて取付るという容易な操作で、前記貫通孔と取付固定部とが相互に係合状態となって簡単に把手部材の扉本体への取付固定が完了する。
【００２９】
また、本発明の収納庫用扉においては、取っ手部が左右逆向きになるように扉本体を１８０度回転させるだけで収納庫本体への取付の際に開閉方向を左右どちら向きにも設定できるものである。このため、好ましくは、把手部材が取り付けられる手挿入用の凹部および把持部材の取付固定部の成型位置を扉の高さ方向の上下中央位置にすれば、取っ手部は左右どちらの向きにしても同じ高さ位置に来る。より正確には、扉閉状態を維持するための扉止め機構を構成する部材としての取っ手部側の前記取付部材の磁性体の位置と、それに対応する収納庫本体側の部材の取付位置も、その開口縁の左右ともに同じ高さ位置になるため、製品成型時および組み立て時における位置決めが容易となる。
【００３０】
なお、扉本体の手挿入用凹部および把手部材取付固定部の成型位置は、必ずしも上記のように扉高さ中央部に限らず、上下に偏向しても可能である。この場合、取っ手部は左右で高さ位置が異なるが、収納庫開口縁側には、それぞれの場合で対応する位置に、取っ手部の磁性体に対する部材、例えば金属製のねじ等を取り付けるためのねじ穴やマークを予め設けておけば、左右どちら向きを選択しても或いは向きを途中で変更したい場合も組み立て作業、組み立て直しに困難は生じない。
【００３１】
また、請求項４に記載の本発明においては、断面略Ｕ字形状の把手部材の扉本体への取付固定手段として、把手部材の弾性変形を利用して把手部材に設けられた取付係合部と扉本体に設けられた取付固定部とを互いに嵌合させるものを備えており、これによって、把手部材を扉本体の所定位置に対して押し込んで嵌めるというワンタッチ操作で簡単に取り付けることができる。従って、面倒なネジ止め等の作業が省かれ、またその分、部品点数も少なく済むため、製品としての設計も組み立てもより容易で簡便なものが提供できる。
【００３２】
取付固定手段を構成する取付係合部および取付固定部としては、例えば、互いに嵌合する嵌合孔と嵌合突起とをそれぞれ把持部材の裏板部および扉本体の相当位置に扉裏面側で形成しておけば、把手部材を押し込んでいくと、嵌合孔が嵌合突起に達してその突起が嵌め込まれるまでその把手部材の弾性変形で把手部材の先端部領域は嵌合突起を乗り越えることができる。
【００３３】
この取付固定手段は、把手部材の扉本体取付状態において外に露呈しない構成であれば、扉裏面側に設けるものと限定する必要はない。また、例えばマグネットを両面接着テープ等で裏板部に固着すれば容易に扉止め機構を構成できる。
【００３４】
【発明の実施の形態】
本発明の一実施の形態として、合成樹脂成型品の収納庫用扉を図１、図２および図３に示す。そして、本扉が取り付けられる収納庫本体を図４に示す。図１は、本実施形態の収納庫用扉の取っ手部の構成を説明する部分斜視図であり、（ａ）は把手部材取付前の取っ手部を扉表面側から見た状態の概略構成図、（ｂ）は把手部材取付前の取っ手部を扉裏面側から見た状態の概略構成図である。図２は扉本体の中央横断面図であり、図３は把手部材が取付固定された状態の取っ手部を表面側から見た部分斜視図である。また図４は図３中Ａ−Ａで示した矢視部断面図である。
【００３５】
本実施形態の収納庫用扉は、図５に示すように、上下部が線対称形状で、扉本体１０（点線で概略記載）を１８０度回転させるだけで開閉方向が左右どちら向きにしても収納本体３０に取り付けられるものとした。この扉本体１０には、収納庫本体３０の開口縦縁の上下に、且つ、左右両端部を選択可能に取り付けられる支軸３１によって、一端側が回動可能に軸支されるための軸受部４が収納庫本体３０の左右上下部に対応する位置に形成される。
【００３６】
より詳しくは、収納庫本体３０の上下縁部で、前方に扉本体の厚み分だけ張り出した横桟の両端部近傍で、上部横桟の下面部、並びに下部横桟の上面部に支軸３１が取り付けられる。そして、扉本体１０の他端側の中央高さ位置に取っ手部１が配置されることになる。
【００３７】
図１に示すように、取っ手部１は、主に、扉本体１０の表側で一方の縁部に近い位置に一体成型された手挿入用の凹部１１と、この手挿入用凹部１１の一部を表面側から覆って手掛かり部を形成する把手部材２０と、この把手部材３０を扉本体１０に取付固定するための取付部材２とで構成されるものである。本実施形態においては、扉本体１０は透明な樹脂製成型品であり、把手部材２０を不透明な樹脂製成型品とした。
【００３８】
把手部材２０は、扉本体１０への取付状態において扉側面端部（扉の縁部）を表裏から挟み込むように互いに対面する表板部２１と裏板部２２とを備えた断面略Ｕ字形状の一体構造を有してる。この表板部２１の先端側の端部が、取付状態で、手挿入用凹部１１の一部を覆うように配置構成されている。従って扉本体１０の凹部１１に手を挿入して、この表板部２１の先端部を手掛かりとして、その裏面に指をひっかっけて扉を引くことで、扉を開くことができる。本実施形態の把手部材２０は、このような表板部２１に裏板部２２が扉本体１０への取付部として一体化された部品点数の少ないコンパクトな構成となっている。
【００３９】
さらに本実施形態においては、把手部材２０に、断面略Ｕ字形状の根元部の内側部分の表板部２１と裏板部２２との間に両者を繋いで強度を上げるための把手補強リブ２３を、把手部材２０の裏板部２２の幅方向（扉の高さ方向に相当）のほぼ両端部に二つ設けている。この把手補強リブ２３を設けたことにより、表板部２１と裏板部２２とが強固に繋がって、把手部材２０の割れ等が防がれ、把手部材２０はより長い期間の使用に耐えることができる。
【００４０】
一方、扉本体１０についても、扉本体２０の全体の端部に対して手挿入用凹部１１を設けた部分を中心に変形する可能性が高く、取っ手部１（扉本体１０）に反りが生じやすいことから、手挿入用凹部１１の外側縁部に、扉高さ方向に沿った凹部１１の幅方向（全体高さ方向）のほぼ全てに亘って連続するように、扉補強部１２を、扉本体１０端縁と略平行な状態に且つ扉本体１０と一体に設けている。
【００４１】
この実施態様では、凹部１１の外縁側の内側面や、さらにその外側に設けた裏面側への折り返し状の補強リブ１２ａや、またその両側から外縁側へ連続して形成された段差部１２ｂ等で扉補強部１２が構成されている。この扉補強部１２により、扉本体１０の成型時に取っ手部１を中心に反りやねじれなどの成型不良が生じるのを防止する構成とした。
【００４２】
なお、この扉補強部１２には、把手部材２０の扉本体１０への取付に支障を生じないように、少なくとも扉補強リブ１２ａが、把手補強リブ２３の長さ分だけ内側に配設されていると共に、扉補強リブ１２ａの外側領域には二つの把手補強リブ２３を受け入れられる切欠き部１３を対応位置二カ所に形成した。
【００４３】
このような扉補強部１２では、扉補強リブ１２ａの裏面側端部外側に扉本体１０の端部に向けて張り出した構造部（張り出し部）１４が、前記二つの切欠き部１３同士の間に形成されている。この領域の張り出し部１４は、把手部材２０の扉本体１０への取付状態において表板部２１と裏板部２２および二つの把手補強リブ２３によって囲まれると同時に、扉補強リブ１２ａ外側に配置されているので、補強部１２も含めて周囲が囲まれた空間内に配置され、外部から覆い隠されるものである。
【００４４】
そこで本実施形態では、この領域の張り出し部１４を、把手部材固定部を形成するために利用しており、把手部材２０を取り付けるための凹部１７をここに設けている。これにより、図３に示すように把手部材固定のために用いられる取付部材などは、この外部から覆い隠された空間内に収まることとなり、手挿入用凹部１１の外側であると共に、扉本体へ取付状態にある把手部材２０の手掛かり部とも干渉しない領域にあることからも、扉の取っ手部１としては見栄えが良くなるだけでなく、取付固定部材等が凹部１１への手挿入や手掛かり動作に干渉して扉開閉操作に悪影響を及ぼすこともない。
【００４５】
具体的な把手固定部の構成としては、張り出し部１４に裏面側から当接する前記裏板部２１に取付係合部としての貫通孔２４を設け、張り出し部１４の貫通孔２４に対応する位置に裏面側から表面側に向かう凹部からなる取付固定部（凹部）１７を設けるものとした。このような取付固定部１７おいては、取付部材２を、貫通孔２４に係合状態で且つ貫通した状態で前記凹部１７に先端部を挿入して取付れば、取付部材２を介して貫通孔２４と凹部１７とが相互に係合し、把手部材２０が扉本体１０から引き抜かれない取付固定状態とすることができる。
【００４６】
なお、取付部材２は、内部にマグネット部材を包含した部材であって、貫通孔２４および凹部１７から容易に脱落することがないように、例えば弾性材や可撓性材等からなる表面ひだ形状の被覆部材３で外部を覆い、貫通孔２４から凹部１７の内部へ大きな摩擦力に抗して圧入される構成とした。従って、凹部１７の奥まで押し込められた後の取付部材２は、通常の扉開閉操作では容易に外れることなく前記係合状態による把手部材２０の扉本体１０への固定を維持できるものとした。
【００４７】
また本実施形態においては、この取付部材２をマグネット部材を内部に包含する構成のものとし、磁力を利用した扉止め機構を構成するものとした。即ち、この扉本体１０の取っ手部１裏面側に、取付部材２として取り付けられたマグネットに対して、収納庫本体側に扉閉状態における該取付部材２の対応位置に磁力で吸着される金属板等を取り付ければ、この取付部材２との接触で、マグネットの吸着力によって扉本体１０は収納庫本体に対する閉状態が維持される。
【００４８】
以上のように、本実施形態の収納庫用扉では、把手部材２０を扉本体１０に固定するための部材と扉止め機構を構成する磁性部材とを兼用させるものであるため、把手部材２０の扉本体１０への固定と同時に扉止め機構を構成する磁性体の取付も完了でき、組み立て工程が簡略されて作業がより簡便となる。
【００４９】
また、従来は扉止め機構を構成する部材とは別個に必要であった、把手部材２０を扉本体１０に固定するためのネジ等の固定用部材が必要なくなり、部材点数を少なくすることができるため、製品の設計、製造も簡便となる。
【００５０】
なお、本収納庫用扉では、把手部材２０の扉本体１０への固定として、上記のような取付部材２による裏板部２２と張り出し部１４との係合機構で充分であるが、さらに固定を補助する手段を設けても良い。例えば、裏板部２２に嵌合孔２６を穿設すると共に対応する扉本体裏面側に嵌合突起１６を突設しておけば、把手部材２０を扉本体１０に取り付けたときに嵌合突起１６が嵌合孔２６に嵌り込んで部材の抜けを防止するものなどが挙げられる。
【００５１】
このような嵌合突起１６と嵌合孔２６との嵌合は、把手部材２０の弾性変形を利用しており、把手部材２０を所定位置で扉本体１０に対して押し込むというワンタッチ操作で容易に完了するものであるが、このような嵌合手段による把手部材２０の扉本体１０への固定状態が扉開閉使用時において安定に維持できるものであれば、場合によってはこの嵌合手段を取付固定手段とすることも可能である。その際、扉止め機構を構成するための磁性体は別部材として設けるが、例えば、両面テープ等でマグネットを裏板部２２に貼付れば良い。
【００５２】
また、本実施形態では、取っ手部１の中央より扉上方位置（図３中Ａ−Ａ矢視部）での断面図４に示すように、把手部材２０の断面略Ｕ字形状の根元部の内側部分に表板部２１から裏板部２２に向かって延びる押さえ片２５を一体に設けた。この押さえ片２５は、把手部材２０の扉本体取付状態において、その下端縁が張り出し部１４の上面に当接して押さえることにより、扉開閉時に表板部２１の先端の手掛かり部を引っ張った際に、把手部材２０が取付部材２又は嵌合突起１６を中心として回転するのを防止し、把手部材２０の安定性を維持することができる。
【００５３】
また、本実施形態の収納庫用扉は、取っ手部１が左右逆向きになるように扉本体を１８０度回転させるだけで収納庫本体３０への取付の際に開閉方向を左右どちら向きにも設定できるものである。このため、把手部材２０が取り付けられる手挿入凹部１１および把持部材２０の取付固定部の成型位置を扉の高さ方向の上下中央位置にすれば、図５に示すように取っ手部１は左右どちらの向きにしても同じ高さ位置に来る。
【００５４】
より正確には、扉閉状態を維持するための扉止め機構を構成する部材としての取っ手部１側の前記取付部材２の磁性体の位置と、それに対応する収納庫本体３０側の部材３３の取付位置も、その開口縁の左右ともに同じ高さ位置になるようにすれば、製品成型時および組み立て時における位置決めや左右勝手の変更が容易となる。
【００５５】
このように本収納庫用扉では、磁性体を収納庫本体３０側に設ける必要なく、扉本体１０側に取付部材２として兼用させるものであるため、扉本体１０の開閉方向の向きを変更するために取付直しをする場合も、比較的大きく且つ高価な部材である磁性部材を収納庫本体３０側の左右で付け替えるという面倒がない。例えば、実際には、収納庫本体３０の開口部には、磁力に惹き付けられる素材の止め部材があればいいので、所定位置に例えば金属製のねじを埋め込める穴やマーク３２を形成しておき、左右勝手が決まった段階で必要に応じて、そのマーク３２部分にねじ頭部分３３を開口部に露出するように取付するだけでよく、左右どちら向きを選択してもまた扉の取付向きを変更したい場合も、その組み立て作業や変更作業は極めて容易に行える。
【００５６】
また、本発明においては以上のように取っ手部１を扉高さ方向の上下中央位置に設ける構成に限定されるものではなく、取っ手部１を扉上下方向に偏位して設ける構成も可能である。この場合、取っ手部１は左右の取付向きで高さ位置が互いに異なるが、収納庫本体３０の開口縁側に、それぞれの場合で対応する位置に、取っ手部１の磁性体に対する部材を取り付けるためのねじ穴やマーク３２を予め設けておけば、前記中央位置に取っ手部１を設ける場合と同様に左右どちら向きを選択してもまた扉の取付向きを変更したい場合も、その組み立て作業は容易に行える。
【００５７】
以上に説明したように、本実施形態による収納庫用扉においては、扉本体の手挿入用凹部の外側縁部で扉本体の高さ方向に沿った上下に亘って扉本体の端部に平行に備えた扉補強部が、扉本体よりも少なくとも把手部材に設けられた把手補強リブの長さ分だけ内側位置で扉本体の高さ方向に沿った上下に亘る扉補強リブを備え、この扉補強リブの外側に、把手部材の取付状態において主に表板部と裏板部および把手補強リブによって覆い隠される空間が形成されるものであり、この空間を、把手部材を固定するための取付固定部を設けるのに利用している。
【００５８】
本実施形態においては、この取付固定部として、前記空間に把手部材の裏板部を係合するマグネットを包含した取付部材の先端部が挿入される凹部を設けたが、例えば、扉止め機構としてフック式などの磁性体の吸着力とは別の方法を採用したい場合にも、そのための機構や手段をこの空間を利用して設けることができる。
【００５９】
また、取付固定部以外にもその他何らかの部材や機構を設けたい場合など、この空間を多目的に利用できる。即ち、本収納庫用扉では、前記扉補強部と扉本体に取り付けられる把手部材とによって、扉の反りを防止する補強を行えると同時に、外部から覆い隠され、多目的に利用可能な空間の提供が可能となる。
【００６０】
例えばこの多目的空間に、扉のロック機構等を設けることも可能である。
【００６１】
【発明の効果】
以上説明したとおり、本発明の収納庫用扉によれば、取っ手部となる把手部材を扉本体に固定するための取付部材と、扉閉状態を維持する扉止め機構のための磁性部材とが兼用されるため、把手部材の固定と同時に磁性部材の取付も完了するので、収納庫の組み立て工程が簡略化されると共に、部品点数も少なくできるので、従来よりも組み立て作業だけでなく製品の設計・製造も簡便となるという効果がある。
【図面の簡単な説明】
【図１】本発明の一実施形態による収納庫用扉の把手部材取付前状態の概略構成図であり、（ａ）は扉表面側から見た取っ手部の部分斜視図、（ｂ）は扉裏面側から見た取っ手部の部分斜視図である。
【図２】本収納庫用扉の中央横断面図である。
【図３】本収納庫用扉の取っ手部材取付固定状態を示す部分斜視図である。
【図４】図３のＡ−Ａ断面矢視図である。
【図５】本収納雇用扉が左右勝手自在に取り付けられる収納庫本体の概略構成を示す正面図である。
【符号の説明】
１：取っ手部
２：取付部材
３：被覆部材
４：軸受部
１０：扉本体
１１：手挿入用凹部
１２：扉補強
１２ａ：扉補強リブ
１２ｂ：扉補強段差部
１３：切欠き部
１４：張り出し部
１６：嵌合突起
１７：凹部（取付固定部）
２０：把手部材
２１：表板部
２２：裏板部
２３：把手補強リブ
２４：貫通孔
２５：押さえ片
２６：嵌合孔
３０：収納庫本体
３１：支軸
３２：ねじ穴またはマーク
３３：金属製ねじ頭
【図１】
2004060400.tif 000003
【図２】
2004060400.tif 000004
【図３】
2004060400.tif 000005
【図４】
2004060400.tif 000006
【図５】
2004060400.tif 000007